(57)【要約】      （修正有）【課題】コイン型電池の接続機構を、小型薄型性を損なうことなく、安価で、且つ、迅速容易に提供する。【解決手段】基板２のコイン型電池を搭載する装着部４に、該基板２への取付けを行うための取付部１０ａ、１０ｂとコイン型電池の極板に当接させるための隆起部９ａ，９ｂとが形成されたメッキ線材バネ端子６を設けてなるコイン型電池の接続機構を提供する。【選択図】図３
2005100774.tif 000002
【特許請求の範囲】
【請求項１】
基板のコイン型電池装着部に、該基板への取付けを行うための取付部とコイン型電池の極板に当接させるための隆起部とが形成されたメッキ線材バネ端子を設けたことを特徴とするコイン型電池の接続機構。
【請求項２】
上記メッキ線材バネ端子は平面視略コ字形状に形成され、上記取付部が該メッキ線材バネ端子の両端部に折曲されて上方に突設され、上記隆起部が該メッキ線材バネ端子の平行な直線部に折曲されて上方に突設されていることを特徴とする請求項１記載のコイン型電池の接続機構。
【請求項３】
上記基板には、上記隆起部を夫々貫通させるための二条のスリット孔が開穿され、且つ、上記取付部を夫々貫通させるための二つの取付孔が開穿されていることを特徴とする請求項１又は２記載のコイン型電池の接続機構。
【請求項４】
上記基板の下方に上記メッキ線材バネ端子を配置し、該メッキ線材バネ端子の取付部を夫々該基板の二つの孔を貫通させて半田付けにて該基板に固定し、該線材バネの隆起部を夫々上記スリット孔を貫通させて該基板の上方に露出させて組立てるように構成したことを特徴とする請求項１，２又は３記載のコイン型電池の接続機構。
【発明の詳細な説明】
【技術分野】
【０００１】
この発明は、コイン型電池の接続機構に関し、特に、カード型リモコン制御機器等の小型の電子機器に用いられるコイン型（ボタン型）電池の接続機構に関するものである。
【背景技術】
【０００２】
近年パーソナルコンピュータや携帯電話機を始めとする電子機器類の高機能化に伴って、メモリ・バックアップや内部時計の継続動作等の目的で、リチウム電池等のコイン型若しくはボタン型等の円盤型電池が頻繁に使用されてきており、しかも電子機器類が小型薄型化してきており、機器類の軽量化に資するためにも、ことさら、斯かるコイン型電池の利用が高まってきている。
【０００３】
そしてその際、このようなコイン型電池の小型薄型の利点を活かし且つ経費抑制のために接続部材であるホルダを介在することなく電池を、プリント回路基板に直接半田付けして接続固定する手法が採用され、正極面、負極面に直付け用の端子を付設した偏平型電池も提供されている。
【０００４】
しかし、プリント回路基板に直接半田付け接続したものに関しては、電池類が、地球環境に有害な物質を含むことが指摘され、電子機器類を廃棄する際、電池を分別回収するという要請を受け、かかる分別回収に直付けによる半田付け電池は多大な作業負担と経費負担を強いられることとなった。また、このような半田付け電池は、電池交換作業上の障害にもなっていた。
【０００５】
このため、コイン型電池の装着のために、偏平型電池用に板バネ製端子を用いた電池ホルダが登場してきた。この電池ホルダでは、電池の着脱が容易であるから電池の分別回収や電池交換の便宜に資するものである（特許文献１参照）。
【０００６】
さらに、前記特許文献１記載の発明の改良を目的として、即ちコイン型電池をより安定的に保持し、且つ誤挿入を確実に防止することを目的とした技術が開発された（特許文献２）。この文献に記載の発明は、板バネである第２端子の先端を電池裏面側に持ち上がった形状の板バネの弾性効果により電池極板を圧接接続する構造を採用するものである。
【０００７】
なお、これ等特許文献に記載された技術事項の外に、コイン型電池の電極に接続する端子として板バネを用いた従来例の一形態を示すものとして、図４に記載されたものがある。図４において、１４は基板２に取付けられた板バネであり、１５は該板バネ１４を切り起こして作った切り起こし片である。該切り起こし片１５の弾性力でコイン型電池装着部４に装着されたコイン型電池３の電極板に対して接触するものであり、該切り起こし片１５が接続端子の接点を構成している。このようにして、この従来例の金属板バネ製接続端子は、他電極用端子１２に対するコイン型電池３の他電極への接続と相俟ってコイン型電池の両電極が通電され電力の供給源となるものである。
【特許文献１】特開昭５９−７８４４５号公報
【特許文献２】特開平８−１０２３０９号公報
【発明の開示】
【発明が解決しようとする課題】
【０００８】
前記両特許文献に開示のコイン型電池に対する接続端子並びに図４に記載の接続端子においては、板バネ方式の電池金具が用いられている。板バネは、形状は単純であるが、このものを部品として供給するには、専用のプレス金型が必要でコストがかかり、且つ起工日程（開発日程）に多大の時間を費やすというデメリットがあった。
【０００９】
そこで、コイン型電池極板に接触接続する若しくはこれを支える弾性端子部の接続機構を提供するにあたって、電子機器の薄型性を損なうことなく、可及的にコストを低下し、且つ、できる限り短期間に容易に部品を提供するために解決すべき技術的課題が生じてくるのであり、本発明はこの課題を解決することを目的とする。
【課題を解決するための手段】
【００１０】
本発明は、上記目的を達成するために提案されたものであり、請求項１記載の発明は、基板のコイン型電池装着部に、該基板への取付けを行うための取付部とコイン型電池の極板に当接させるための隆起部とが形成されたメッキ線材バネ端子を設けたコイン型電池の接続機構を提供する。
【００１１】
この請求項１記載の発明は、上記コイン型電池の接続機構における端子をメッキ線材バネで製造しているから、汎用されているメッキ線材を使用に供することができ、調達に便利で且つ取り扱いが簡単であるという利点を有すると共に、前記取付部によって基板への取付けができ、前記隆起部によってコイン型電池の電極板との接触が確実になるという利点がある。
【００１２】
また、請求項２記載の発明は、上記メッキ線材バネ端子は平面視略コ字形状に形成され、上記取付部が該メッキ線材バネ端子の両端部に折曲されて上方に突設され、上記隆起部が該メッキ線材バネ端子の平行な直線部に折曲されて上方に突設されている請求項１記載のコイン型電池の接続機構を提供する。
【００１３】
この請求項２記載の発明は、上記メッキ線材バネ端子を平面視コ字形状に形成しているので、夫々二箇所の取付部、隆起部が形成され、前記メッキ線材バネ端子の基板への取付け、コイン型電池への接触がさらに確実になる利点がある。
【００１４】
そして、請求項３記載の発明は、上記基板には、上記隆起部を夫々貫通させるための二条のスリット孔が開穿され、且つ、上記取付部を夫々貫通させるための二つの取付孔が開穿されている請求項１又は２記載のコイン型電池の接続機構を提供する。
【００１５】
この請求項３記載の発明は、上記基板には、上記隆起部を夫々貫通させるための二条のスリット孔が開穿され、且つ、上記取付部を夫々貫通させるための二つの取付孔が開穿されているから、メッキ線材バネ端子の基板への取付けが容易となり、且つ、コイン型電池の電極板に対する該メッキ線材バネ端子の接触が容易となる利点がある。
【００１６】
さらにまた、請求項４記載の発明は、上記基板の下方に上記メッキ線材バネ端子を配置し、該メッキ線材バネ端子の取付部を夫々該基板の二つの孔を貫通させて半田付けにて該基板に固定し、該線材バネの隆起部を夫々上記スリット孔を貫通させて該基板の上方に露出させて組立てるように構成した請求項１，２又は３記載のコイン型電池の接続機構を提供する。
【００１７】
この請求項４記載の発明は、前記メッキ線材バネ端子の直線部分の端部取付部を前記基板の取付孔にハンダ付けするから、該メッキ線材バネ端子の基板への取付けも容易、確実であり、又、上記線材バネの隆起部を夫々上記スリット孔を貫通させて該基板の上方に露出させて組立てるので、隆起部が該スリット孔内を円滑に移動して安定した接触を行なうことができる利点がある。
【発明の効果】
【００１８】
本発明の請求項１記載の発明は、コイン型電池の電極板を押圧するバネ部材は、メッキ線材バネを以って供しており簡単な構成であるので、市場で汎用されているメッキ線材バネを利用して随時部品を調達することが可能であり、技術開発にかかる当初予算（イニシャル・コスト）を安く抑えることができる。
【００１９】
また、請求項１記載の発明は、板バネ方式の電池接続金具と相違して、専用のプレス金型を必要としないから、安価で、開発日程も短期間で済むという効果を奏する。
【００２０】
そして、請求項１記載の発明においては、前記取付部によって基板への取付けができ、前記隆起部によってコイン型電池の電極板との接触が確実になる。
【００２１】
さらに、本発明の請求項２記載の発明は、上記請求項１記載の発明の効果に加えて、上記メッキ線材バネ端子の平行な直線部分の端部に形成された取付部が両端二個所で固定されており、その上二つの隆起部を通じてコイン型電池の電極板に対して押圧するので接触部も二つとなっているから、安定して確実に電池極板を接触接続することができる。その上、前記メッキ線材バネ端子がコ字形状に折り曲げられているので単一のメッキ線材バネでより強固な端子を形成することができ、簡単な構成で堅牢なコイン型電池の接続機構を安価に供給することができる。
【００２２】
またさらに、本発明の請求項３記載の発明は、上記請求項１，２記載の発明の効果に加えて、上記基板には、上記隆起部を夫々貫通させるための二条のスリット孔が開穿され、且つ、上記取付部を夫々貫通させるための二つの取付孔が開穿されているので、該取付孔によってメッキ線材バネを容易に基板に取り付けることができると共に該スリット孔によって前記隆起部がコイン型電池の電極板に容易に接触することができる。
【００２３】
さらにまた、請求項４記載の発明は、前記請求項１，２，３記載の発明の効果に加えて、端子の取付部を基板の取付孔に半田付けによって固定するので、上記基板に開穿された取付孔に上記メッキ線材バネ端子の取付部が容易、且つ、確実に取付けられる。
【発明を実施するための最良の形態】
【００２４】
本発明は、電子機器の薄型性を損なうことなく、可及的にコストを低下し、且つ、短期間に容易に部品を提供するという目的を、基板のコイン型電池装着部に、メッキ線材バネ端子を設けることにより実現した。
【００２５】
以下本発明の一実施の形態につき図面に従って詳細に説明する。図１は、本発明のコイン型電池の接続機構１の平面図であり、図において２は、電子機器の各種回路や部品を搭載する基板である。該基板２には、プリント回路基板等の基板を以って充当してもよいが、格別それに拘泥するものではない。該基板２におけるコイン型電池３を搭載するコイン型電池装着部４には平行する二条のスリット孔５ａ，５ｂを開穿し、該スリット孔５ａ，５ｂの近傍に夫々取付孔１１ａ、１１ｂを開穿する。
【００２６】
他方、図１，３に示す如く、メッキ線材バネを略直角に折り曲げた上さらに略直角に折り返して平面視コ字形状に形成したメッキ線材バネ端子６の二条の平行な直線部分７，８の略中央部に隆起状に折曲して隆起部９ａ，９ｂを形成して、前記二条のスリット孔５ａ，５ｂの下から、該隆起部９ａ，９ｂを夫々上方に突出させることができるように構成する。図２に示す如く、このような隆起部９ａ，９ｂの突出した頂部がコイン型電池装着部４に載置されたコイン型電池３の極板への接続部となる。
【００２７】
そして、図１、図２に示す如く、前記メッキ線材バネ端子６の二条の平行な直線部分７，８の端部には、該端部を折曲して突設させ、前記基板２へ取付けるための取付部１０ａ，１０ｂを形成する。
【００２８】
而して、該取付部１０ａ，１０ｂを前記基板２上の前記コイン型電池装着部４の近傍に開穿された取付孔１１ａ，１１ｂに下から上方に貫通突設させ、該取付部１０ａ，１０ｂを固定する。
【００２９】
このようにして、メッキ線材バネで形成された前記メッキ線材バネ端子６の平行な直線部分７，８の端部に形成した取付部１０ａ、１０ｂが基板２の取付孔１１ａ，１１ｂに強固確実に固定され、これによって、該メッキ線材バネ端子６の前記隆起部９ａ，９ｂが前記スリット孔５ａ，５ｂから突出する構成となり、該取付部１０ａ，１０ｂは該隆起部９ａ，９ｂがコイン型電池の電極板と接触接続した際に、バネ弾性を付与させる固定支点として機能する。
【００３０】
本発明のコイン型電池の接続機構の隆起部９ａ，９ｂは、例えばコイン型電池３を保持させた電池ホルダ１３が前記コイン型電池装着部４にスライド挿入されること等により、コイン型電池３の電極板に接触して接続され、前記電池ホルダ１３のスライド挿入に従って下方に押されて下降し、メッキ線材バネの弾性反力によって前記接触が安定的になされる。
【００３１】
そして、本発明のコイン型電池の接続機構１は、図２、図３に示すとおり、基板２に開穿した二条のスリット孔５ａ，５ｂから、前記メッキ線材バネで形成されたメッキ線材バネ端子６の平行な直線部分７，８に形成された隆起部９ａ，９ｂの頂部が上方に露出し、そのメッキ線材バネの弾性力でコイン型電池３の電極板に接触接続して電池と導通を可能とする。
【００３２】
他方、前記基板２には、コイン型電池３の他の電極に接続する他電極用（例えば、陽極用）端子１２が取付けられている。このように、コイン型電池装着部４にコイン型電池３が挿入搭載されることにより、本発明のコイン型電池の接続機構１のメッキ線材バネ端子６がコイン型電池３の一方の電極板と接続し、他方もう一つの他電極用端子１２の接点がコイン型電池３の他の電極に接続導通し、コイン型電池３からの電力の供給が可能となる。
【００３３】
斯くして、本発明のコイン型電池の接続機構は、汎用のメッキ線材バネを使用に供することで安価且つ迅速容易に部品の調達をすることが可能となる。
【００３４】
すなわち、従来の板バネ方式におけるコイン型電池に接触保持する板状の金具では形状が単純なものであっても、専用のプレス金型が必要であり、型起工の日程を相当に見込まなければならないというデメリットがあるが、本発明においては、メッキ線材バネで端子を製造するものであるから、市場で汎用されているメッキ線材バネを随時容易に調達して、コイン型電池の接続端子を完成することができ、安価で、且つ迅速容易に供給することができる。
【００３５】
又、本発明のコイン型電池の接続機構は、取付けも容易、且つ、確実であり、さらに、コイン型電池との接触も確実、且つ、安定して行われる。
【００３６】
なお、本発明は、本発明の精神を逸脱しない限りにおいて種々の改変をなすことができ、そして、本発明が、該改変されたものに及ぶことは当然である。
【図面の簡単な説明】
【００３７】
【図１】本発明のコイン型電池の接続機構の平面図。
【図２】電池ホルダを載置した状態を示す図１のＡ−Ａ線縦断面図。
【図３】本発明のコイン型電池接続機構の斜視図。
【図４】従来例を示し、金属板バネ製の接続端子の平面図。
【符号の説明】
【００３８】
１  コイン型電池の接続機構
２  基板
３  コイン型電池
４  コイン型電池装着部
５ａ，５ｂ  スリット孔
６  メッキ線材バネ端子
７，８  メッキ線材バネ端子の平行な直線部分
９ａ，９ｂ  隆起部
１０ａ，１０ｂ  取付部
１１ａ，１１ｂ  取付孔
１２  他電極用端子
１３  電池ホルダ
１４  板バネ
１５  切り起し片
【図１】
2005100774.tif 000003
【図２】
2005100774.tif 000004
【図３】
2005100774.tif 000005
【図４】
2005100774.tif 000006